(57)【要約】【課題】苗運搬の労働負荷軽減を図るとともに移植作業適期に制約が加わることを回避し得るようにした育苗シートを用いて効率的かつ確実な移植ができるようにする。【解決手段】育苗シート１０1 は、種苗を収納可能な複数の収納部が設けられるとともに土壌中で生分解する材質により連続気孔を有して直角四辺形状に形成される育苗・保持層と、土壌中で生分解する材質により直角四辺形状に形成されるとともに複数の送り用係止部が少なくとも一列に並んで設けられる支持フィルムとが、複数の直方体状のシート片１４に分離して地中に植え付けられることを可能として接合されて成り、移植台３１上の育苗シート１０1 が送り用係止部１６に係合する搬送手段３３で搬送され、該搬送手段３３で搬送される育苗シート１０1 から分離したシート片１４が植付け手段３２で地中に植付けられる。【選択図】        図６
2006325601.tif 000002
【特許請求の範囲】
【請求項１】
種苗を収納可能な複数の収納部（１３）が設けられるとともに土壌中で生分解する材質により連続気孔を有して直角四辺形状に形成される育苗・保持層（１１1 ，１１2 ）と、土壌中で生分解する材質により直角四辺形状に形成されるとともに複数の送り用係止部（１６）が少なくとも一列に並んで設けられる支持フィルム（１２1 ，１２2 ）とが、前記収納部（１３）を個別に有する複数の直方体状のシート片（１４）に分離して地中に植え付けられることを可能として接合されて成る育苗シート（１０1 ，１０2 ）を載せる移植台（３１）と；該移植台（３１）上の前記育苗シート（１０1 ，１０2 ）の前記送り用係止部（１６）に係合して該育苗シート（１０1 ，１０2 ）を移植台（３１）上で搬送可能な搬送手段（３３）と；該搬送手段（３３）で搬送される育苗シート（１０1 ，１０2 ）から前記シート片（１４）を分離して地中に植付ける植付け手段（３２）と；を備えることを特徴とする苗移植装置。
【発明の詳細な説明】
【技術分野】
【０００１】
本発明は、水稲等の育苗に適した育苗シートを用いて苗を移植するための苗移植装置に関するものである。
【背景技術】
【０００２】
従来、たとえば特許文献１および特許文献２で開示されるように、育苗箱に詰めた土壌に種子を播いて育苗するマット苗方式と、たとえば特許文献３および特許文献４で開示されるように、ポット内に詰めた土壌中に種子を播いて育苗するポット苗方式とが知られている。
【特許文献１】特開昭４８−９６３１０号公報
【特許文献２】特公昭５６−２２４８３号公報
【特許文献３】特開昭５８−１５５０１９号公報
【特許文献４】特公昭５７−２２２８８号公報
【発明の開示】
【発明が解決しようとする課題】
【０００３】
ところが、上記従来のマット苗方式およびポット苗方式によるものでは、いずれも苗床に土壌が用いられるので、重量が嵩み、苗運搬の労働負荷が高くなる。またマット苗方式によるものでは、育苗箱中の土壌に種子を均等に播くことが難しく、また苗移植装置との間で各苗の正確な位置決めをすることが難しいので、移植時に１株当たりの苗数を揃えることが困難であり、さらに育苗箱の土壌中で各苗の根が互いに絡み合うことでマットを形成するので、播種量によって移植日が定まることになり、作業適期が限定されてしまう。すなわち乳苗用に播いた苗では播種量が多く、育ち過ぎるとムレ苗となり、中苗用に播いた苗では乳苗時に根絡みが少なくてマットが形成されない。さらにポット苗方式によるものでは、マット苗に比べて同一育苗面積当たりの苗数が少なくなり、苗箱数の増加により労働負荷がさらに増大してしまい、しかも苗移植装置の構成も複雑になりがちである。
【０００４】
本発明は、かかる事情に鑑みてなされたものであり、苗運搬の労働負荷軽減を図るとともに移植作業適期に制約が加わることを回避し得るようにした育苗シートを用いて効率的かつ確実な移植ができるようにした苗移植装置を提供することを目的とする。
【課題を解決するための手段】
【０００５】
上記目的を達成するために、本発明は、種苗を収納可能な複数の収納部が設けられるとともに土壌中で生分解する材質により連続気孔を有して直角四辺形状に形成される育苗・保持層と、土壌中で生分解する材質により直角四辺形状に形成されるとともに複数の送り用係止部が少なくとも一列に並んで設けられる支持フィルムとが、前記収納部を個別に有する複数の直方体状のシート片に分離して地中に植え付けられることを可能として接合されて成る育苗シートを載せる移植台と；該移植台上の前記育苗シートの前記送り用係止部に係合して該育苗シートを移植台上で搬送可能な搬送手段と；該搬送手段で搬送される育苗シートから前記シート片を分離して地中に植付ける植付け手段と；を備えることを特徴とする。
【発明の効果】
【０００６】
本発明の上記構成によれば、育苗シートが支持フィルム上に育苗・保持層が接合されて成る単純な構造であり、育苗の工業化を図ることが可能であり、土壌を用いてないので清潔な取扱いが可能となるとともに、苗運搬時の労働負荷を軽減することが可能となる。しかも収納部に種苗が収納されるので、各収納部間に充分なスペースをあけることにより、移植時に根を切ったり、茎や葉を折ったりすることがないようにすることが可能となる。また育苗シートの送り用係止部への搬送手段の係合により該育苗シートを移植台上に確実に装着、保持せしめることが可能となるとともに、搬送手段によって育苗シートを確実に搬送して欠株の生じない効率的な移植が可能となり、さらに育苗シートは全体形状がマット苗に類似したものとなるので、マット苗による移植を行なう従来の苗移植装置を該移植装置に小改造を加える程度で用いることができ、コスト低減を図ることが可能となる。
【発明を実施するための最良の形態】
【０００７】
以下、本発明の実施の形態を、添付図面に示した本発明の実施例に基づいて説明する。
【０００８】
図１〜図６は本発明の第１実施例を示すものであり、図１は育苗シートの斜視図、図２は育苗シートを育苗・保持層および支持フィルムに分離した状態での斜視図、図３は図１の３−３線拡大断面図、図４は乗用田植え機の側面図、図５は育苗シートが載せられた移植台を図４の５矢視方向から見た図、図６は図５の６−６線断面図である。
【０００９】
先ず図１〜図３において、この育苗シート１０1 は、連続気孔を有する材料により形成される育苗・保持層１１1 が、支持フィルム１２1 上に接合されて成るものである。
【００１０】
支持フィルム１２1 は、土壌中で生分解する材質から成るものであり、その厚みは、移植作業に支障を生じない程度たとえば０．０５〜０．１５ｍｍ、望ましくは０．１２ｍｍに設定される。また育苗・保持層１１1 も、土壌中で生分解する材質から成るものであり、その厚みは、該育苗・保持層１１に種苗全体を収納させ得る程度たとえば３〜２０ｍｍに設定される。ただし、図１〜３では、育苗シート１０1 の構成を明確化するために、支持フィルム１２1 がその厚みを誇張して描かれている。
【００１１】
育苗・保持層１１1 および支持フィルム１２1 は、同一形状の直角四辺形状に形成されるものであり、支持フィルム１２1 の全面に育苗・保持層１１1 が接合される。これにより、育苗シート１０1 も直角四辺形状に形成されることになるが、この育苗シート１０1 の幅および長さは、後述の乗用田植え機１８の移植台３１（図５，６参照）に対応して設定される。
【００１２】
育苗・保持層１１1 には、種苗たとえば水稲の種籾を収納する複数の収納部１３…が、該育苗・保持層１１1 の幅方向および長手方向に等間隔をあけるようにして設けられる。これらの収納部１３…は、たとえば、支持フィルム１２1 とは反対側で育苗・保持層１１1 の一面にそれぞれ開口した凹部として形成されるものであってもよく、前記育苗・保持層１１1 の一面に切れ目を設けるだけのものであってもよい。
【００１３】
育苗・保持層１１1 および支持フィルム１２1 には、前記収納部１３…を個別に有する複数の直方体状のシート片１４…に育苗シート１０1 を分離するためのミシン目１５…が縦横に設けられる。
【００１４】
また支持フィルム１２1 には、育苗シート１０1 をその長手方向に送るための送り用係止部としての送り用係止孔１６…が、育苗シート１０1 の長手方向に沿って等間隔をあけて並ぶようにして少なくとも一列、この実施例では育苗シート１０1 の幅方向に間隔をあけて複数列設けられており、それらの送り用係止孔１６…は、前記ミシン目１５…を避けた位置に配置される。
【００１５】
このような育苗シート１０1 は、前記乗用田植え機１８による苗移植時のみではなく、種苗の育苗を行なうことも可能であり、育苗シート１０1 による種苗の育苗を行なうにあたっては水耕栽培を行なうことが可能であり、また育苗シート１０1 を苗代として用いることも可能である。而して水耕栽培によってたとえば水稲を育苗するにあたっては、育苗シート１０1 の各収納部１３…に播種後の種籾をそれぞれ収納し、浸種および浸種等の処理を行なうが、その際、育苗シート１０1 を水に浸して浸種処理を行なった後に、育苗処理を実行することにより、各収納部１３…に収納された種籾から育った苗１７…を育苗シート１０1 における各シート片１４…に保持することができる。
【００１６】
図４において、乗用田植機１８の車体フレーム１９における前部には、エンジン（図示せず）およびエンジン補機類（図示せず）が搭載されており、それらのエンジンおよびエンジン補機類を覆うボンネット２０が車体フレーム１９に設けられる。また車体フレーム１９の後部にはトランスミッション２１およびリヤアクスルフレーム２２が設けられており、このリヤアクスルフレーム２２の両側に、前記トランスミッション２１からの動力伝達により回転駆動される一対の後輪ＷR が配置され、両後輪ＷR の前方で車体フレーム１９に一対の前輪ＷF が懸架される。さらに車体フレーム１９の後部には、ステアリングハンドル２３等を操作する乗員が座るための座席２４が設けられる。
【００１７】
乗用田植機１８における車体フレーム１９の後部には、リンク機構２５を介して可動フレーム２６が昇降可能に連結されており、この可動フレーム２６には自動あるいは手動で上下調整可能としてフロート２７…が設けられる。また可動フレーム２６に取付けられた枠体２８には、複数条の田植えを行なうことを可能として複数の苗移植装置３０…が乗用田植機１８の幅方向に並んで配設される。
【００１８】
苗移植装置３０は、可動フレーム２６が苗植付姿勢にある状態で斜め上向きの姿勢で後方側に臨むようにして枠体２８上に配置される移植台３１と、育苗シート１０1 における苗１７を各シート片１４…ごと順次地中に植付ける植付け手段３２と、移植台３１上の育苗シート１０1 を植付け手段３２側に向けて順次搬送する搬送手段３３とを備える。
【００１９】
図５および図６を併せて参照して、移植台３１は、育苗シート１０1 を載せる載置板３４の両側に育苗シート１０1 の両側端に対応した側板３５，３５が設けられて成るものであり、載置板３４の中央部には、矩形状の開口部３６が設けられている。
【００２０】
この移植台３１の下部は、前記枠体２８に固定されるガイド枠３７上に、乗用田植え機１８の幅方向への往復移動を可能として載せられる。該ガイド枠３７は、移植台３１上を乗用田植え機１８の後方側斜め下方に搬送されて来る育苗シート１０1 の前端を規制すべく前記移植台３１の下端（後端）に一定距離をあけて対向する規制壁部３７ａと、移植台３１の下部を乗用田植え機１８の幅方向に移動可能として支持する支持板部３７ｂとを有して横断面略Ｌ字状に形成されるものであり、移植台３１の下端および規制壁部３７ａ間の距離を直方体状であるシート片１４の一辺の長さにほぼ対応させて枠体２８に固定される。
【００２１】
しかもガイド枠３７の幅方向一側には、育苗シート１０1 のうち規制壁部３７ａおよび移植台３１間に対応する部分から１つのシート片１４を植付け手段３２によって下方に分離することを可能するための切欠き部３８が設けられる。
【００２２】
搬送手段３３は、移植台３１とともに移動することを可能として該移植台３１における載置板３４の下方に配置されるものであり、図示しない駆動源に連結されて移植台３１における下端側に配置される駆動輪３９と、移植台３１における上端側に配置される従動輪４０と、駆動輪３９および従動輪４０に巻掛けられる無端状の伝動帯４１とで構成され、駆動輪３９および従動輪４０は、たとえばスプロケットであり、伝動帯４１は、たとえばコグベルトである。
【００２３】
しかも伝動帯４１は、移植台３１の開口部３６全面に臨む幅を有するものであり、移植台３１に固定されているガイド部材４２により移植台３１の下面に近接した位置を走行するようにガイドされる。
【００２４】
また伝動帯４１の表面側には、前記開口部３６から上方に突出する複数の係合爪４３…が、移植台３１上の育苗シート１０1 の送り用係止孔１６…に係合することを可能として突設されており、それらの送り用係止孔１６…への係合爪４３…の係合により、伝動帯４１の走行に伴って育苗シート１０1 が搬送される。
【００２５】
ところで、この実施例では搬送手段３３が移植台３１の略全長にわたって設けられているが、移植台３１の下端側すなわち植付け手段３２側だけに設けられていてもよい。
【００２６】
植付け手段３２は、従来のマット苗用のものと同様に構成されて、前記ガイド枠３７の切欠き部３８に対応する位置で枠体２８に支持されており、エンジンからの動力伝達によって回転駆動される回転軸４５と、該回転軸４５が中央部に固着される伝動ケース４６と、該伝動ケース４６の両端部で前記回転軸４５と平行な軸線を有してそれぞれ回転自在に支承されるとともに伝動ケース４６に内蔵された伝動機構（図示せず）を介して前記回転軸４５からの動力が伝達される一対の軸４７，４７と、それらの軸４７，４７に基端部がそれぞれ固着された一対のアーム４８，４８と、それらのアーム４８，４８の先端にそれぞれ配設される移植爪４９，４９とを備える。
【００２７】
このような植付け手段３２によれば、回転軸４５の回転に応じて移植爪４９，４９が図６の二点鎖線で示す軌跡を描いて作動し、ガイド枠３７の切欠き部３８において育苗シート１０1 から苗１７付きのシート片１４が移植爪４９，４９で順次分離され、各シート片１４が地中に順次植付けられることになる。
【００２８】
次にこの第１実施例の作用について説明すると、育苗シート１０1 は、連続気孔を有する材料により直角四辺形状に形成される育苗・保持層１１1 が、直角四辺形状に形成される支持フィルム１２1 上に接合されて成るものであり、種苗を収納可能な複数の収納部１３…が育苗・保持層１１1 に設けられるので、該育苗シート１０1 を単純な構造として、育苗の工業化を図ることが可能であり、土壌を用いてないので清潔な取扱いが可能となるとともに、苗運搬時の労働負荷を軽減することが可能となる。
【００２９】
しかも育苗シート１０1 の全体形状は従来のマット苗に類似したものとなるので、マット苗による移植を行なう従来の苗移植装置に小改造を加える程度で用いることができ、収納部１３…に種苗が収納されるので、各収納部１３…間に充分なスペースをあけることにより、移植時に根を切ったり、茎や葉を折ったりすることがないようにすることが可能となる。
【００３０】
また育苗・保持層１１1 および支持フィルム１２1 には、収納部１３…を個別に有する複数のシート片１４…に分離するためのミシン目１５…が設けられているので、移植時に欠株が生じないようにして、各収納部１３…に個別に対応したシート片１４…を容易に分離して植付けることができる。
【００３１】
さらに育苗・保持層１１1 は、該育苗・保持層１１1 と同一形状の支持フィルム１２1 の全面に接合され、支持フィルム１２1 に、該支持フィルム１２1 の長手方向に少なくとも並ぶ少なくとも１列の送り用係止孔１６…が設けられているので、移植時に各送り用係止孔１６…によって育苗シート１０1 の送りを確実、かつ一定速度とすることができ、それにより苗移植装置３０における搬送手段３３の簡素化が可能となる。
【００３２】
乗用田植え機１８に設けられる苗移植装置３０は、育苗シート１０1 を載せる移植台３１と、該移植台３１上の育苗シート１０1 の送り用係止孔１６…に係合して該育苗シート１０1 を移植台３１上で搬送可能な搬送手段３３と、該搬送手段３３で搬送される育苗シート１０1 からシート片１４を分離して地中に植付ける植付け手段３２とを備えるものであり、マット苗による移植を行なう従来の苗移植装置に小改造を加える程度により構成され、コスト低減を図ることができる。
【００３３】
しかも苗移植装置３０では、育苗シート１０1 の送り用係止孔１６…への搬送手段３３の係合により該育苗シート１０1 を移植台３１上に確実に装着、保持せしめることが可能となるとともに、搬送手段３３によって育苗シート１０1 を確実に搬送して欠株の生じない効率的な移植が可能となる。
【００３４】
上述の第１実施例では、育苗シート１０1 における支持フィルム１２1 に設けられる複数列の送り用係止孔１６…が、支持フィルム１２1 の長手方向に沿って同一個所に配置されていたが、本発明の第２実施例として、相互に隣接する列同士の送り用係止孔１６…の位置が、支持フィルム１２1 の長手方向に半ピッチずつずれて配置されるようにしてもよく、この場合、搬送手段３３における伝動帯４１に設けられる係合爪４３…も、図７で示すように、伝導帯４１の幅方向に間隔をあけて複数列に並ぶととともに、相互に隣接する列同士の係合爪４３…の位置が、伝動帯４１の走行方向に半ピッチずつずれて配置されていればよい。
【００３５】
図８は本発明の第３実施例を示すものであり、育苗シート１０2 は、収納部１３…を有する育苗・保持層１１2 が、該育苗・保持層１１2 よりも幅広の支持フィルム１２2 に接合されて成るものであり、育苗・保持層１１2 からはみ出した部分すなわち育苗・保持層１１2 の両側部分で前記支持フィルム１２2 に、複数の送り用係止孔１６…がそれぞれ一列に並んで設けられる。
【００３６】
この第３実施例によれば、移植時に各送り用係止孔１６…に係合することによって育苗シート１０2 の送りを確実、かつ一定速度とすることができ、それにより搬送手段３３の簡素化が可能となり、また育苗シート１０2 の搬送時に育苗・保持層１１2 に無理な力が加わらないので移植時に苗１７の根が傷められることがない。
【００３７】
以上、本発明の実施例を詳述したが、本発明は上記実施例に限定されるものではなく、特許請求の範囲に記載された本発明を逸脱することなく種々の設計変更を行なうことが可能である。
【図面の簡単な説明】
【００３８】
【図１】第１実施例の育苗シートの斜視図である。
【図２】育苗シートを育苗・保持層および支持フィルムに分離した状態での斜視図である。
【図３】図１の３−３線断面図である。
【図４】乗用田植え機の側面図である。
【図５】育苗シートが載せられた移植台を図４の５矢視方向から見た図である。
【図６】図５の６−６線断面図である。
【図７】第２実施例の図５に対応した図である。
【図８】第３実施例の育苗シートの斜視図である。
【符号の説明】
【００３９】
１０1 ，１０2 ・・・育苗シート
１１1 ，１１2 ・・・育苗・保持層
１２1 ，１２2 ・・・支持フィルム
１３・・・収納部
１４・・・シート片
１６・・・送り用係止部としての送り用係止孔
３０・・・苗移植装置
３１・・・移植台
３２・・・植付け手段
３３・・・搬送手段
【図１】
2006325601.tif 000003
【図２】
2006325601.tif 000004
【図３】
2006325601.tif 000005
【図４】
2006325601.tif 000006
【図５】
2006325601.tif 000007
【図６】
2006325601.tif 000008
【図７】
2006325601.tif 000009
【図８】
2006325601.tif 000010